(57)【特許請求の範囲】
【請求項１】
外周に凹部が形成された洗い場床と、
前記凹部に載置された壁と、
前記凹部の側面のうち前記洗い場床の内側方向に位置する第１側面と、前記壁と、の間に設けられたコーキング材と、
一端が前記洗い場床に固定され、他端が前記壁に固定され、前記コーキング材の上方に設けられ、前記コーキング材を覆い、前記第１側面と前記壁との間の距離が変化して長くなった場合に前記コーキング材よりも裂け目が生じ難いように構成された被覆部材と、
を備えたことを特徴とする浴室。
【請求項２】
前記被覆部材は、少なくとも一部が撓んだ状態で、前記一端が前記洗い場床に固定され、前記他端が前記壁に固定されていることを特徴とする請求項１記載の浴室。
【請求項３】
前記被覆部材の伸縮性は、前記コーキング材の伸縮性よりも高いことを特徴とする請求項１記載の浴室。
【請求項４】
前記被覆部材は、少なくとも一部が撓んだ状態で、前記一端が前記洗い場床に固定され、前記他端が前記壁に固定されていることを特徴とする請求項３記載の浴室。
【請求項５】
前記被覆部材のうち、前記コーキング材を覆う部分の上面は、前記撓みにより、前記壁から前記洗い場床に向けて下方に傾斜していることを特徴とする請求項４記載の浴室。
【請求項６】
外周に凹部が形成された洗い場床と、
前記凹部に載置された壁と、
前記凹部の側面のうち前記洗い場床の内側方向に位置する第１側面と、前記壁と、の間に設けられたコーキング材と、
前記コーキング材の上面に塗膜され、前記コーキング材を覆い、前記第１側面と前記壁との間の距離が変化して長くなった場合に伸張可能であるとともに、前記第１側面と前記壁との間の距離が変化して長くなった場合に前記コーキング材よりも裂け目が生じにくいように前記コーキング材よりも伸縮性が高い被覆膜と、
を備えたことを特徴とする浴室。
【請求項７】
外周に凹部が形成された床面材と、
前記床面材の上に配された表皮材と、
前記床面材と前記表皮材との間に設けられたクッション材と、
を有する洗い場床と、
前記凹部に載置された壁と、
前記凹部の側面のうち前記洗い場床の内側方向に位置する第１側面と、前記壁と、の間に設けられたコーキング材と、
一端が前記洗い場床に固定され、他端が前記壁に固定され、前記コーキング材の上方に設けられ、前記コーキング材を覆い、前記第１側面と前記壁との間の距離が変化して長くなった場合に前記コーキング材よりも裂け目が生じ難いように構成された被覆部材と、
を備え、
前記クッション材は、前記床面材の一部と前記表皮材の一部との間に位置し、
前記被覆部材の前記一端は、前記床面材の他の一部と前記表皮材の他の一部との間に固定されたことを特徴とする浴室。
【請求項８】
外周に凹部が形成された浴槽と、
前記凹部に載置された壁と、
前記凹部の側面のうち前記浴槽の内側方向に位置する第２側面と、前記壁と、の間に設けられたコーキング材と、
一端が前記浴槽に固定され、他端が前記壁に固定され、前記コーキング材の上方に設けられ、前記コーキング材を覆い、前記第２側面と前記壁との間の距離が長くなった場合に前記コーキング材よりも裂け目が生じ難いように構成された被覆部材と、
を備えたことを特徴とする浴室。
【請求項９】
前記被覆部材は、少なくとも一部が撓んだ状態で、前記一端が前記浴槽に固定され、前記他端が前記壁に固定されていることを特徴とする請求項８記載の浴室。
【請求項１０】
前記被覆部材の伸縮性は、前記コーキング材の伸縮性よりも高いことを特徴とする請求項８記載の浴室。
【請求項１１】
前記被覆部材は、少なくとも一部が撓んだ状態で、前記一端が前記浴槽に固定され、前記他端が前記壁に固定されていることを特徴とする請求項１０記載の浴室。
【請求項１２】
前記被覆部材のうち、前記コーキング材を覆う部分の上面は、前記撓みにより、前記壁から前記浴槽に向けて下方に傾斜していることを特徴とする請求項１１記載の浴室。
【請求項１３】
外周に凹部が形成された浴槽と、
前記凹部に載置された壁と、
前記凹部の側面のうち前記浴槽の内側方向に位置する第２側面と、前記壁と、の間に設けられたコーキング材と、
前記コーキング材の上面に塗膜され、前記コーキング材を覆い、前記第２側面と前記壁との間の距離が変化して長くなった場合に伸張可能であるとともに、前記第２側面と前記壁との間の距離が変化して長くなった場合に前記コーキング材よりも裂け目が生じにくいように前記コーキング材よりも伸縮性が高い被覆膜と、
を備えたことを特徴とする浴室。
【発明の詳細な説明】
【技術分野】
【０００１】
本発明の態様は、一般的に、浴室に関する。
【背景技術】
【０００２】
特許文献１では、浴室に関して、洗い場床と壁との間にコーキング材を注入して止水を行う技術が開示されている。より具体的には、洗い場床の外周に凹部が形成されており、壁は、当該凹部に載置されている。そして、凹部の側壁と壁との間に設けられたコーキング材により、凹部側壁と壁との隙間が充填され、止水が行われている。
【先行技術文献】
【特許文献】
【０００３】
【特許文献１】特開２０１３−２０９８５３号公報
【発明の概要】
【発明が解決しようとする課題】
【０００４】
コーキング材は、一般的に、時間の経過に応じて硬化が進む。このため、気温の変化や振動などによって凹部側壁と壁との間の距離が長くなると、コーキング材が過度に引っ張られ、裂け目が生じる場合がある。特許文献１に記載の技術では、コーキング材が浴室内の空間に対して露出するように設けられているため、このようなコーキング材に生じる裂け目が浴室内の使用者の目に付きやすく、美観を損ねる可能性があった。
本発明は、かかる課題の認識に基づいてなされたものであり、止水のためにコーキング材を用いた場合であっても、美観の低下を抑制することができる浴室を提供することを目的とする。
【課題を解決するための手段】
【０００５】
第１の発明は、外周に凹部が形成された洗い場床と、前記凹部に載置された壁と、前記凹部の側面のうち前記洗い場床の内側方向に位置する第１側面と、前記壁と、の間に設けられたコーキング材と、一端が前記洗い場床に固定され、他端が前記壁に固定され、前記コーキング材の上方に設けられ、前記コーキング材を覆い、前記第１側面と前記壁との間の距離が変化して長くなった場合に前記コーキング材よりも裂け目が生じ難いように構成された被覆部材と、を備えたことを特徴とする浴室である。
【０００６】
この浴室によれば、第１側面と壁との間の距離が変化し、コーキング材に裂け目が生じた場合であっても、被覆部材に裂け目が生じる可能性は低い。加えて、コーキング材が被覆部材に覆われているため、裂け目が生じたコーキング材が浴室内の使用者から見えにくく、浴室の美観の低下を抑制することが可能となる。また、被覆部材の両端が固定されているため、清掃時などに被覆部材に外力が加わったとしても、被覆部材が捲れてしまったり外れてしまうことを抑制できる。
【０００７】
第２の発明は、第１の発明において、前記被覆部材は、少なくとも一部が撓んだ状態で、前記一端が前記洗い場床に固定され、前記他端が前記壁に固定されていることを特徴とする浴室である。
【０００８】
この浴室によれば、第１側面と壁との間の距離の変化に対して、被覆部材の撓み量の変化で対応させることができ、被覆部材の伸縮を抑制することができる。このため、第１側面と壁との間の距離が長くなった場合でも、被覆部材に加わる負荷を低減し、被覆部材の損傷などが生じる可能性を低減することができる。
【０００９】
第３の発明は、第１の発明において、前記被覆部材の伸縮性は、前記コーキング材の伸縮性よりも高いことを特徴とする浴室である。
【００１０】
この浴室によれば、第１側面と壁との間の距離が変化し、当該距離が大きくなったとしても、被覆部材は伸縮によってその変化に対応することができるため、被覆部材に裂け目が生じる可能性を低減させることができる。
【００１１】
第４の発明は、第３の発明において、前記被覆部材は、少なくとも一部が撓んだ状態で、前記一端が前記洗い場床に固定され、前記他端が前記壁に固定されていることを特徴とする浴室である。
【００１２】
この浴室によれば、第１側面と壁との間の距離が大きく変化した場合でも、被覆部材に加わる負荷を低減し、被覆部材に裂け目が生じる可能性を抑制することができる。このため、浴室の美観の低下をより確実に抑制することが可能となる。また、被覆部材の伸縮性が過度に大きくなくとも距離の変化に対応できるため、被覆部材の材料選択の自由度を高めることが可能となる。
【００１３】
第５の発明は、第４の発明において、前記被覆部材のうち、前記コーキング材を覆う部分の上面は、前記撓みにより、前記壁から前記洗い場床に向けて下方に傾斜していることを特徴とする浴室である。
【００１４】
この浴室によれば、被覆部材のうち、コーキング材を被覆している部分の上面における排水性を高めることが可能となる。
【００１５】
第６の発明は、外周に凹部が形成された洗い場床と、前記凹部に載置された壁と、前記凹部の側面のうち前記洗い場床の内側方向に位置する第１側面と、前記壁と、の間に設けられたコーキング材と、前記コーキング材の上面に塗膜され、前記コーキング材を覆い、前記第１側面と前記壁との間の距離が変化して長くなった場合に伸張可能であるとともに、前記第１側面と前記壁との間の距離が変化して長くなった場合に前記コーキング材よりも裂け目が生じにくいように前記コーキング材よりも伸縮性が高い被覆膜と、を備えたことを特徴とする浴室である。
【００１６】
この浴室によれば、第１側面と壁との間の距離が変化し、コーキング材に裂け目が生じた場合であっても、被覆膜は伸縮によって距離の変化に対応することができるため、被覆膜に裂け目が生じる可能性は低い。加えて、コーキング材が被覆膜に覆われているため、裂け目が生じたコーキング材が浴室内の使用者から見えにくく、浴室の美観の低下を抑制することが可能となる。
【００１７】
第７の発明は、外周に凹部が形成された床面材と、前記床面材の上に配された表皮材と、前記床面材と前記表皮材との間に設けられたクッション材と、を有する洗い場床と、前記凹部に載置された壁と、前記凹部の側面のうち前記洗い場床の内側方向に位置する第１側面と、前記壁と、の間に設けられたコーキング材と、一端が前記洗い場床に固定され、他端が前記壁に固定され、前記コーキング材の上方に設けられ、前記コーキング材を覆い、前記第１側面と前記壁との間の距離が変化して長くなった場合に前記コーキング材よりも裂け目が生じ難いように構成された被覆部材と、を備え、前記クッション材は、前記床面材の一部と前記表皮材の一部との間に位置し、前記被覆部材の前記一端は、前記床面材の他の一部と前記表皮材の他の一部との間に固定されたことを特徴とする浴室である。
【００１８】
この浴室によれば、第１側面と壁との間の距離が変化し、コーキング材に裂け目が生じた場合であっても、被覆部材に裂け目が生じる可能性は低い。加えて、コーキング材が被覆部材に覆われているため、裂け目が生じたコーキング材が浴室内の使用者から見えにくく、浴室の美観の低下を抑制することが可能となる。
また、被覆部材の両端が固定されているため、清掃時などに被覆部材に外力が加わったとしても、被覆部材が捲れてしまったり外れてしまうことを抑制できる。
さらに、クッション材に外力が加わり、クッション材が変形した場合でも、被覆部材の変位を抑制することができる。このため、被覆部材と、洗い場床および壁のそれぞれと、の固定部に加わる負荷を軽減し、被覆部材に損傷が生じる可能性を低減することができる。
【００１９】
第８の発明は、外周に凹部が形成された浴槽と、前記凹部に載置された壁と、前記凹部の側面のうち前記浴槽の内側方向に位置する第２側面と、前記壁と、の間に設けられたコーキング材と、一端が前記浴槽に固定され、他端が前記壁に固定され、前記コーキング材の上方に設けられ、前記コーキング材を覆い、前記第２側面と前記壁との間の距離が長くなった場合に前記コーキング材よりも裂け目が生じ難いように構成された被覆部材と、を備えたことを特徴とする浴室である。
【００２０】
この浴室によれば、第２側面と壁との間の距離が変化し、コーキング材に裂け目が生じた場合であっても、被覆部材に裂け目が生じる可能性は低い。加えて、コーキング材が被覆部材に覆われているため、裂け目が生じたコーキング材が浴室内の使用者から見えにくく、浴室の美観の低下を抑制することが可能となる。また、被覆部材の両端が固定されているため、清掃時などに被覆部材に外力が加わったとしても、被覆部材が捲れてしまったり外れてしまうことを抑制できる。
【００２１】
第９の発明は、第８の発明において、前記被覆部材は、少なくとも一部が撓んだ状態で、前記一端が前記浴槽に固定され、前記他端が前記壁に固定されていることを特徴とする浴室である。
【００２２】
この浴室によれば、第２側面と壁との間の距離の変化に対して、被覆部材の撓み量の変化で対応させることができ、被覆部材の伸縮を抑制することができる。このため、第２側面と壁との間の距離が長くなった場合でも、被覆部材に加わる負荷を低減し、被覆部材の損傷などが生じる可能性を低減することができる。
【００２３】
第１０の発明は、第８の発明において、前記被覆部材の伸縮性は、前記コーキング材の伸縮性よりも高いことを特徴とする浴室である。
【００２４】
この浴室によれば、第２側面と壁との間の距離が変化し、当該距離が大きくなったとしても、被覆部材は伸縮によってその変化に対応することができるため、被覆部材に裂け目が生じる可能性を低減させることができる。
【００２５】
第１１の発明は、第１０の発明において、前記被覆部材は、少なくとも一部が撓んだ状態で、前記一端が前記浴槽に固定され、前記他端が前記壁に固定されていることを特徴とする浴室である。
【００２６】
この浴室によれば、第２側面と壁との間の距離が大きく変化した場合でも、被覆部材に加わる負荷を低減し、被覆部材に裂け目が生じる可能性を抑制することができる。このため、浴室の美観の低下をより確実に抑制することが可能となる。また、被覆部材の伸縮性が過度に大きくなくとも距離の変化に対応できるため、被覆部材の材料選択の自由度を高めることが可能となる。
【００２７】
第１２の発明は、第１１の発明において、前記被覆部材のうち、前記コーキング材を覆う部分の上面は、前記撓みにより、前記壁から前記浴槽に向けて下方に傾斜していることを特徴とする浴室である。
【００２８】
この浴室によれば、被覆部材のうち、コーキング材を被覆している部分の上面における排水性を高めることが可能となる。
【００２９】
第１３の発明は、外周に凹部が形成された浴槽と、前記凹部に載置された壁と、前記凹部の側面のうち前記浴槽の内側方向に位置する第２側面と、前記壁と、の間に設けられたコーキング材と、前記コーキング材の上面に塗膜され、前記コーキング材を覆い、前記第２側面と前記壁との間の距離が変化して長くなった場合に伸張可能であるとともに、前記第２側面と前記壁との間の距離が変化して長くなった場合に前記コーキング材よりも裂け目が生じにくいように前記コーキング材よりも伸縮性が高い被覆膜と、を備えたことを特徴とする浴室である。
【００３０】
この浴室によれば、第２側面と壁との間の距離が変化し、コーキング材に裂け目が生じた場合であっても、被覆膜は伸縮によってその変化に対応することができるため、被覆膜に裂け目が生じる可能性は低い。加えて、コーキング材が被覆膜に覆われているため、裂け目が生じたコーキング材が浴室内の使用者から見えにくく、浴室の美観の低下を抑制することが可能となる。
【発明の効果】
【００３１】
本発明の態様によれば、止水のためにコーキング材を用いた場合であっても、美観の低下を抑制することができる。
【図面の簡単な説明】
【００３２】
【図１】本発明の実施形態に係る浴室を表す斜視図である。
【図２】本発明の実施形態における壁面接続部材と壁パネルとの嵌合構造を表した断面図である。
【図３】本発明の実施形態における壁の取り付け構造を表す斜視図である。
【図４】本発明の実施形態に係る洗い場床の構成を説明する分解斜視図である。
【図５】本発明の実施形態に係る洗い場床の一部および壁の一部を拡大した斜視断面図である。
【図６】図５の部分Ｂを拡大した斜視断面図である。
【図７】本発明の実施形態に係る洗い場床の一部および壁の一部を拡大した断面図である。
【図８】本発明の実施形態に係る洗い場床の一部および壁の一部を拡大した断面図である。
【図９】壁パネルが設置される前の状態の、洗い場床の凹部近傍を拡大した平面図である。
【図１０】図９のＡ−Ａ’線における断面図である。
【図１１】本発明の実施形態に係る浴室の乾式目地の施工方法を表す断面図である。
【図１２】本発明の実施形態に係る浴室の乾式目地の施工方法を表す断面図である。
【図１３】本発明の実施形態に係る浴室の乾式目地の施工方法を表す断面図である。
【図１４】本発明の実施形態に係る浴室の乾式目地の施工方法を表す断面図である。
【図１５】本発明の実施形態に係る浴室の乾式目地の施工方法を表す断面図である。
【図１６】本発明の実施形態に係る浴槽の一部および壁の一部を拡大した断面図である。
【図１７】壁パネルが設置される前の状態の凹部近傍を拡大した平面図である。
【図１８】図１７のＣ−Ｃ’線における断面図である。
【図１９】本発明の実施形態の第１変形例に係る洗い場床の一部および壁の一部を拡大した断面図である。
【図２０】本発明の実施形態の第１変形例に係る洗い場床の一部および壁の一部を拡大した断面図である。
【図２１】本発明の実施形態の第２変形例に係る洗い場床の一部および壁の一部を拡大した断面図である。
【図２２】本発明の実施形態の第２変形例に係る洗い場床の一部および壁の一部を拡大した断面図である。
【図２３】本発明の実施形態の第３変形例に係る洗い場床の一部および壁の一部を拡大した断面図である。
【図２４】本発明の実施形態の第３変形例に係る洗い場床の一部および壁の一部を拡大した断面図である。
【発明を実施するための形態】
【００３３】
以下、本発明の実施の形態について図面を参照しつつ説明する。なお、各図面中、同様の構成要素には同一の符号を付して詳細な説明は適宜省略する。
【００３４】
図１は、本発明の実施形態に係る浴室を表す斜視図である。
図１に示した浴室１００は、浴槽１と、洗い場床２と、壁３と、を備えている。浴槽１の底部裏面の四隅近傍には、支持脚６が設けられ、その支持脚６を介して、浴槽１は浴室設置面（例えば、建物の床）Ｓの上に設置される。支持脚６は、ボルト部を回転させることで高さを調節可能に構成されている。
【００３５】
洗い場床２は、周縁部が上側に折り曲げられた浅底の器状（パン状）に形成され、浴室外部に湯水を漏出させない防水性を有する。洗い場床２は、支持脚２３１を介して浴室設置面Ｓ上に設置されている。支持脚２３１は、支持脚６と同様に、ボルト部を回転させることで高さを調節可能に構成されている。
【００３６】
洗い場床２において、浴槽１との境界部近傍には、排水管５に連通する排水口が形成されている。なお、図１では、この排水口は、着脱自在の蓋７で塞がれている。排水口が設けられた部分はくぼんでおり、洗い場床２の表面には、排水口に向けて下向きに傾斜した勾配が付けられている。洗い場床２の裏側において、浴槽１との境界部近傍には排水管５が設けられ、排水口は排水管５に接続されている。また、浴槽１の底部に設けられた図示しない排水口も、排水管５に接続されている。
【００３７】
壁３は、浴室ユニットの４面を構成している。壁３は、壁面材である壁パネル３１〜３７によって構成されている。洗い場床２の外周部２ａには、洗い場床２の上面と直交する方向に沿って壁面接続部材５０が設けられている。壁面接続部材５０は隣接する壁パネルの間に設けられ、隣接する壁パネル同士は壁面接続部材５０によって連接されている。
【００３８】
壁パネル３１は、洗い場床２の浴槽１とは反対側に配置されており、２枚の壁パネルが図示しない壁面接続部材５０によって連接されて形成されている。壁パネル３２及び壁パネル３３は、壁パネル３１と直交し、互いに対向して配置されている。壁パネル３４〜３６は、浴槽１の縁のうち、洗い場床２側を除く３辺の縁の上に配置されている。壁パネル３４及び壁パネル３５の下側には、浴槽１と壁パネル３２及び壁パネル３３との間をつなぐ壁パネル３７が設けられている。図１に表した浴室ユニットでは、壁パネル３３には図示しないドア取付枠を介してドアＤＲが設けられている。
【００３９】
なお、本発明における壁面材の構成は、上記壁パネル３１〜３７には限定されない。例えば、壁パネル３１がより多くのパネルから構成されていても良いし、その他の壁パネル３２〜３７が複数のパネルから構成されていても良い。また、壁パネル３１が１枚のパネルから構成されていても良い。
【００４０】
浴槽１と洗い場床２との境界には、浴槽１における洗い場床２側の側面を覆い隠すバスエプロン９が設けられている。バスエプロン９は、後述する床面材２１を押圧するように設けられている。
【００４１】
図２は、本発明の実施形態における壁面接続部材と壁パネルとの嵌合構造を表した断面図である。
図２では、壁パネルの面内方向と直交する方向に沿った断面を表している。
図２（ａ）は、同一平面で隣接する２つの壁パネルと、これらの間に設けられた壁面接続部材との嵌合構造を例示している。
図２（ｂ）は、隅部で互いに直交する２つの壁パネルと、これらの間に設けられた壁面接続部材との嵌合構造を例示している。
以下の説明では、図２（ａ）に例示した壁面接続部材５０Ａおよび図２（ｂ）に例示した壁面接続部材５０Ｂをまとめて壁面接続部材５０と称する。
【００４２】
図２に表したように、壁パネル３１は、第１壁パネル３１−１と、第２壁パネル３１−２と、から構成されている。それぞれの壁パネルは、母材と、母材に対して浴室の内側に設けられた鋼板と、を有する。母材は、石膏ボードなどで形成されており、鋼板は、補強のために母材の浴室内側の表面に貼り付けられている。例えば、第１壁パネル３１−１は、母材３１０−１と、鋼板３１１−１と、を有する。第２壁パネル３１−２は、母材３１０−２と、鋼板３１１−２と、を有する。
【００４３】
壁面接続部材５０は、薄板を折り曲げた中空構造を有する。壁面接続部材５０の左右の折り返し部分５０１は、弾性を有している。
【００４４】
図２（ａ）では、壁パネル３１を構成する２つの壁パネル３１−１および３１−２の取り付け状態を表している。２つの壁パネル３１−１及び３１−２の鋼板３１１の左右の側面部には、それぞれ弾性を有した裏側への折り返し部分５０２−１及び５０２−２が設けられている。
【００４５】
２つの壁パネル３１−１及び３１−２を壁面接続部材５０Ａに取り付けるには、折り返し部分５０２−１及び５０２−２を壁面接続部材５０Ａの左右の折り返し部分５０１の間に嵌め込む。折り返し部分５０２−１及び５０２−２は、左右の折り返し部分５０１の間を押し広げるようにして嵌め込まれることで、互いの方向に付勢される。折り返し部分５０２−１及び５０２−２が嵌め込まれると、２つの壁パネル３１−１及び３１−２が壁面接続部材５０Ａを間にして同一面状に固定される。
【００４６】
図２（ｂ）では、壁パネル３１を構成する壁パネル３１−２と、壁パネル３２と、の取り付け状態を表している。壁パネル３１−２の鋼板３１１−２には、折り返し部分５０２−１が設けられ、壁パネル３２の鋼板３２１には、折り返し部分５０２−２が設けられている。折り返し部分５０２−１及び５０２−２は、それぞれ弾性を有する。
【００４７】
折り返し部分５０２−１及び５０２−２は、左右の折り返し部分５０１の間を押し広げるようにして嵌め込まれる。折り返し部分５０２−１及び５０２−２が嵌め込まれると、２つの壁パネル３１−２及び３２は壁面接続部材５０Ａを間にして直交する状態に固定される。
【００４８】
このように、壁面接続部材５０の折り返し部分５０１と各壁パネルの折り返し部分５０２は、壁３に直交する面に沿って弾性を有するため、互いの設置位置が固定される。一方で、壁３の表面に沿った方向では、壁面接続部材５０による位置の規制が無い。このため、それぞれの壁パネルは壁面接続部材５０に嵌め込まれると、自重により下方に落下して、その下端（後述する先端部３１１ａ）が床面材２１に当接する。
【００４９】
図３は、本発明の実施形態における壁の取り付け構造を表す斜視図である。
図３に表したように、洗い場床２の上面と直交する方向に延びる複数の壁面接続部材５０が、洗い場床２の外周部２ａに取り付けられる。壁面接続部材５０は、予め取り付けてあった壁面固定部材５１にボルトやビス等の締結手段で固定される。このとき、壁面接続部材５０の下端によって床面材２１の外周部２ａを下方に押圧するように、壁面接続部材５０を固定してもよい。それぞれの壁面接続部材５０に壁パネルを嵌合することで、壁パネル３１〜３５が固定される。壁パネル３７は、浴槽１と壁面接続部材５０との間に固定される。また、壁パネル３６は、壁パネル３４の一端と壁パネル３５一端との間に固定される。
【００５０】
図４は、本発明の実施形態に係る洗い場床の構成を説明する分解斜視図である。
図４に表したように、洗い場床２は、床基材２０と、床基材２０の上に配された表皮材２３と、を有する。床基材２０は、下から順に、支持材２２、床面材２１、およびクッション材２０１を有する。
【００５１】
支持材２２は、４隅に設けられる４本の支持脚２３１を有する。支持脚２３１は、ボルト部を回転させることで高さが調節可能に構成されている。支持材２２には、強度が比較的高く、剛性のある平板状の素材が用いられる。このような素材として、例えば、サンドイッチパネルが挙げられる。サンドイッチパネルは、例えば、プラスチックの板材を２枚の鋼板で挟んだ構造であり、軽量かつ剛性が高く、ネジなどの締結部材も使用できる。支持材２２には、作業者が床下にもぐることができるように作業口が設けられている。施工後、この作業口には蓋２２１が被せられる。
【００５２】
床面材２１には、後述するように、排水口となる凹形状部や洗い場床２の上面の勾配を形成するための傾斜面が付与されている。床面材２１は、例えば熱可塑性樹脂によって形成されている。床面材２１は、繊維強化プラスチック（ＦＲＰ）によって形成されていてもよい。熱可塑性樹脂としては、例えば発泡ポリプロピレン、発泡ポリスチレン、発泡ポリエチレン、発泡ポリウレタンなどが用いられる。
【００５３】
床面材２１の上には、クッション材２０１が設けられている。クッション材２０１には、例えば発泡ポリウレタン等の軟質素材が用いられる。クッション材２０１の硬さ（柔らかさ）を変えることで、表皮材２３を踏んだ際に感じる床面の硬さ（柔らかさ）を変化させることができる。
【００５４】
表皮材２３は、洗い場床２の最表面に配されており、防水性および可撓性を有する軟質シート材が用いられる。表皮材２０２には、洗い場床２の表面の意匠性や水はけ性を向上させるために、凹凸加工や柄模様を施したりすることも可能である。
【００５５】
床面材２１の外周には、凹部が形成されており、壁３は、この凹部の上に設置される。この点について、図５〜図８を用いてより具体的に説明する。
図５は、本発明の実施形態に係る洗い場床の一部および壁の一部を拡大した斜視断面図である。
図６は、図５の部分Ｂを拡大した斜視断面図である。
図７および図８は、本発明の実施形態に係る洗い場床の一部および壁の一部を拡大した断面図である。
なお、図５〜図８では、支持材２２が省略されている。
【００５６】
図５〜図７に表したように、鋼板３１１は、床面材２１に向けて延在するとともに、先端部３１１ａが、洗い場床２の外側に向けて屈曲している。床面材２１の外周には凹部２１Ｒが形成され、この凹部の内側にはガイドピース２７が取り付けられている。ガイドピース２７の上には、パッキンＰＫ１を介して先端部３１１ａが載置されている。床面材２１は、壁３の自重により、下方に押圧される。また、先端部３１１ａの先端はガイドピース２７により固定されている。こうすることで、洗い場床２と壁３との相対的な位置関係のずれを抑制している。
【００５７】
凹部２１Ｒの側面のうち、洗い場床２の内側方向に位置する側面Ｓ１と、壁３（壁パネル３１）と、の隙間には、コーキング材ＣＫ１が設けられている。被覆部材２５は、一端側の第１端部２５１と、他端側の第２端部２５２と、を有する。第１端部２５１は、例えば、表皮材２３の下面に、接着剤２８ａにより固定されている。第２端部２５２は、コーキング材ＣＫ１を覆っており、接着剤２８ｂによって壁パネル３１に固定されている。被覆部材２５の少なくとも一部は弾性を有し、被覆部材２５は側面Ｓ１と直交する方向に撓んでいる。これにより、被覆部材２５のコーキング材ＣＫ１を覆っている部分の上面は、壁パネル３１から洗い場床２に向けて下方に傾斜している。
【００５８】
側面Ｓ１と壁パネル３１との間の距離Ｄ１は、ガイドピース２７により、その変化が抑制されているものの、洗い場床２および壁３の熱膨張または熱収縮や、洗い場床２および壁３における振動などにより変化する場合がある。また、壁３の傾斜によって距離Ｄ１が変化することもある。図８は、図７に表した状態から距離Ｄ１が長くなったときの状態を表している。図７および図８に表したように、距離Ｄ１が長くなると、被覆部材２５の撓み量は小さくなり、側面Ｓ１と直交する方向における被覆部材２５の長さが長くなる。すなわち、距離Ｄ１が変化した場合でも、その変化に応じて被覆部材２５の撓み量が変化する。
【００５９】
コーキング材については、カビの発生の抑制や、洗剤などの薬品やお湯などによる物性の変化の抑制、耐摩耗性などの制約から、その伸縮性を向上させることは容易ではない。また、側面Ｓ１と壁パネル３１との間の隙間を埋めるためには、コーキング材を一定量以上、当該隙間に注入する必要があり、この結果形成されたコーキング材ＣＫ１を撓ませることは容易ではない。
これに対して、被覆部材２５は、上述した通り、距離Ｄ１が変化した場合でも、その変化に応じて被覆部材２５の撓み量が変化するため、被覆部材２５に加わる負荷が小さい。
このため、被覆部材２５は、距離Ｄ１が変化した場合でも、コーキング材ＣＫ１よりも裂け目が生じにくい。
【００６０】
被覆部材２５は、弾性を有し、かつ軟質および薄肉状の少なくともどちらかであっていてもよい。このような構成によれば、被覆部材２５を容易に撓ませて変形させることが可能となる。
【００６１】
被覆部材２５には、ポリプロピレンやポリエチレンなどのポリオレフィン系樹脂、ポリスチレンやＡＢＳ（acrylonitrile butadiene styrene copolymer）などのスチレン系樹脂、塩化ビニル、ポリエチレンテレフタレートなどのポリエステル系樹脂、またはナイロンなどのポリアミド系樹脂、フッ素樹脂、などを用いることができる。これらの材料を用いることで、被覆部材２５に弾性および軟性を付与することができる。
【００６２】
図９は、壁パネルが設置される前の状態の、洗い場床の凹部近傍を拡大した平面図である。
図１０は、図９のＡ−Ａ’線における断面図である。
なお、図９および図１０では、その後に載置される壁パネル３１を破線で表している。
【００６３】
図９および図１０に表したように、壁パネル３１が設置されていない状態では、被覆部材２５は、水平方向に延び、洗い場床２の外側に向かって突出している。このとき、凹部２１Ｒ上に突出している部分の長さＬ１は、壁パネル３１が設置された状態における側面Ｓ１と壁パネル３１との間の距離Ｄ１よりも長い。このため、壁パネル３１が設置された状態では、被覆部材２５の第２端部２５２が鋼板３１１に当接して撓むことで、被覆部材２５の上面が壁パネル３１から表皮材２３に向けて下方に傾斜する。
【００６４】
ここで、図１１〜図１５を用いて、実施形態に係る浴室の乾式目地の施工方法を説明する。
図１１〜図１５は、実施形態に係る浴室の乾式目地の施工方法を表す断面図である。
まず、図１１（ａ）に表したように、表皮材２３の下面の端に被覆部材２５の第１端部２５１を固定する。被覆部材２５は、接着剤２８ａにより、表皮材２３の下面に固定される。あるいは、熱による溶着、ステープルなどで固定されてもよい。
【００６５】
次に、図１１（ｂ）に表したように、凹部２１Ｒ内にガイドピース２７が設けられた床面材２１の表面に、表皮材２３を貼り合わせる。このとき、被覆部材２５のうち、表皮材２３に固定された部分が、表皮材２３と床面材２１との間に挟まれるように、表皮材２３を床面材２１に張り合わせる。
【００６６】
床面材２１の上に表皮材２３が配された状態を、図１２（ａ）に表す。図１２（ａ）に表したように、被覆部材２５は、凹部２１Ｒの一部を覆うように、表皮材２３の外側に向けて延びている。
【００６７】
次に、図１２（ｂ）および図１３（ａ）に表したように、被覆部材２５の第２端部２５２を、上方に変形させ、表皮材２３に一時的に固定する。表皮材２３への固定には、例えばマスキングテープＭが用いられる。
【００６８】
次に、図１３（ｂ）および図１４（ａ）に表したように、床面材２１および表皮材２３の上方から凹部２１Ｒへ、壁パネル３１を下方に移動させ、床面材２１の上に載置する。このとき、被覆部材２５の第２端部２５２は表皮材２３に固定されているため、壁パネル３１と被覆部材２５との接触を避けることができる。
【００６９】
次に、図１４（ｂ）および図１５（ａ）に表したように、側面Ｓ１と鋼板３１１との間にコーキング材ＣＫ１を充填させる。続いて、コーキング材ＣＫ１を充填させた後、図１５（ａ）に表したように、壁パネル３１に接着剤２８ｂを付着させる。
【００７０】
最後に、図１５（ｂ）に表したように、被覆部材２５の第２端部２５２の変形を解除する。このとき、被覆部材２５が弾性を有するため、第２端部２５２の変形を解除することで、図１２（ａ）に表した元の形状に戻る。その際、コーキング材ＣＫ１が被覆部材２５に覆われるとともに、第２端部２５２が、接着剤２８ｂにより壁パネル３１に固定される。既に述べた通り、被覆部材２５の突出部分の長さＬ１は、距離Ｄ１よりも長いため、被覆部材２５は撓んだ状態で壁パネル３１に当接し、被覆部材２５の上面が、壁パネル３１から表皮材２３に向かって下方に傾斜する。
【００７１】
上述した説明では、壁パネル３１を例に説明したが、他の壁パネル３２、３３、および３７も同様にして洗い場床２の上に設置される。
【００７２】
次に、図１６を用いて、浴槽１の外周における構造を具体的に説明する。
図１６は、本発明の実施形態に係る浴槽の一部および壁の一部を拡大した断面図である。
図１６に表したように、壁パネル３６は、母材３６０および裏板３６１を有する。浴槽１の外周には凹部１Ｒが形成されており、母材３６０の下端は、凹部１Ｒの底面にパッキンＰＫ２を介して載置される。
【００７３】
母材３６０は、凹部１Ｒの側面のうち、浴槽１の内側方向に位置する側面Ｓ２と対向している。側面Ｓ２と壁パネル３６との隙間には、コーキング材ＣＫ２が設けられている。被覆部材２６は、一端側の第１端部２６１と、他端側の第２端部２６２と、を有する。第１端部２６１は、接着剤２９ａにより側面Ｓ２に固定されている。第２端部２６２は、コーキング材ＣＫ２を覆うとともに、接着剤２９ｂによって壁パネル３６に固定されている。被覆部材２６の少なくとも一部は弾性を有し、被覆部材２６は側面Ｓ２と直交する方向に撓んでいる。これにより、被覆部材２６のコーキング材ＣＫ２を覆っている部分の上面は、壁パネル３６から浴槽１に向けて下方に傾斜している。
【００７４】
側面Ｓ２と壁３（壁パネル３６）との間の距離Ｄ２は、浴槽１および壁３の熱膨張または熱収縮や、浴槽１および壁３における振動などにより変化する。また、壁３の傾斜によって距離Ｄ２が変化することもある。被覆部材２６の第２端部２６２が壁パネル３６に当接して撓んでいることで、距離Ｄ２の変化に応じて被覆部材２６の撓み量が小さくなり、側面Ｓ２と直交する方向における被覆部材２６の長さが長くなる。すなわち、距離Ｄ２が変化した場合でも、その変化に応じて被覆部材２６の撓み量が変化する。
【００７５】
コーキング材ＣＫ２についても、コーキング材ＣＫ１と同様に、伸縮性を高めること、およびコーキング材ＣＫ２を撓ませることは困難である。一方で、被覆部材２６は、距離Ｄ２が変化した場合でも、その変化に応じて被覆部材２６の撓み量が変化するため、被覆部材２６に加わる負荷が小さい。
このため、被覆部材２６は、距離Ｄ２が変化した場合でも、コーキング材ＣＫ２よりも裂け目が生じにくい。
【００７６】
被覆部材２６は、弾性を有し、かつ軟質および薄肉状の少なくともどちらかであっていてもよい。このような構成によれば、被覆部材２６を容易に撓ませて変形させることが可能となる。
【００７７】
図１７は、壁パネルが設置される前の状態の凹部近傍を拡大した平面図である。
図１８は、図１７のＣ−Ｃ’線における断面図である。
なお、図１７および図１８では、その後に載置される壁パネル３６を破線で表している。
【００７８】
図１７および図１８に表したように、壁パネル３６が設置されていない状態では、被覆部材２６は、水平方向に延び、浴室の外側に向かって突出している。このとき、凹部１Ｒ上に突出している部分の長さＬ２は、壁パネルが設置された状態における側面Ｓ２と壁パネル３６との間の距離Ｄ２よりも長い。このため、壁パネルが設置された状態では、被覆部材２６の第２端部２６２が母材３６０に当接して撓むことで、被覆部材２６の上面が母材３６０から浴槽１に向けて下方に傾斜する。
【００７９】
浴槽１への被覆部材２６の取り付けおよび壁パネル３６の設置については、洗い場床２への被覆部材２５の取り付けおよび壁パネル３１の設置と同様にして行われる。
【００８０】
すなわち、まず、被覆部材２６の第１端部２６１が、接着剤２８ａによって凹部１Ｒの側面Ｓ２に固定される。続いて、第２端部２６２を上方に変形させ、浴槽１に、例えばテープにより一時的に固定する。続いて浴槽１の上方から凹部１Ｒに向けて壁パネル３６を移動させて載置する。このとき、第２端部２５２は浴槽１の内側に向けて変形され、固定されているため、壁パネル３６と被覆部材２６との接触を避けることができる。
【００８１】
その後、壁パネル３６に接着剤２９ｂを付着させ、被覆部材２５の第２端部２５２の変形を解除すると、側面Ｓ２と母材３６０との隙間が被覆部材２６で覆われる。このとき、第２端部２６２が接着剤２９ｂによって壁パネル３６に固定される。既に述べた通り、被覆部材２６の長さＬ２は、距離Ｄ２よりも長いため、被覆部材２６は撓んだ状態で壁パネル３６に当接し、被覆部材２６の上面に傾斜が形成される。
【００８２】
上述した説明では、壁パネル３６を例に説明したが、他の壁パネル３４および３５も同様にして洗い場床２の上に設置される。
【００８３】
以上で説明した本発明の実施形態によれば、被覆部材２５は、第１側面Ｓ１と壁３との間の距離Ｄ１が変化して長くなった場合でも、コーキング材ＣＫ１よりも裂け目が生じ難いように構成されている。このため、距離Ｄ１が変化し、コーキング材ＣＫ１に裂け目が生じた場合であっても、被覆部材２５に裂け目が生じる可能性は低い。また、コーキング材ＣＫ１は被覆部材２５に覆われているため、裂け目が生じたコーキング材ＣＫ１が、浴室内の使用者から見えにくく、浴室の美観の低下を抑制することが可能となる。また、被覆部材２５の両端が固定されているため、清掃時などに被覆部材２５に外力が加わったとしても、被覆部材２５が捲れてしまったり外れてしまうことを抑制できる。
【００８４】
また、被覆部材２５を撓んだ状態で設けることで、距離Ｄ１の変化に対して、撓み量の変化で対応させることができ、被覆部材２５の伸縮を抑制することができる。このため、距離Ｄ１が長くなった場合でも、被覆部材２５に加わる負荷を低減し、被覆部材２５への裂け目の発生や、洗い場床２および壁３との固定部分の損傷などの可能性を低減することができる。
【００８５】
加えて、被覆部材２５のうち、コーキング材ＣＫ１を被覆している部分の上面が、壁３から洗い場床２の内側に向けて傾斜していることで、当該上面における排水性を高めることが可能となる。
【００８６】
また、図７に表したような屈曲部分を有する被覆部材２５を固定する場合、図１１（ａ）に表したように、表皮材２３と床面材２１とを貼り合わせる前に、被覆部材２５の第１端部２５１を表皮材２３の底面に固定することが望ましい。こうすることで、被覆部材２５の屈曲部分を表皮材２３の側面２３Ｓに当接させた状態で、第１端部２５１を表皮材２３と床面材２１との間に固定することができる。このため、第１端部２５１をより強固に固定するとともに、被覆部材２５と表皮材２３の側面との間に隙間が生じることを抑制できる。
【００８７】
また、本実施形態において、クッション材２０１が、床面材２１の一部と表皮材２３の一部との間に位置し、被覆部材２５の第１端部２５１が、床面材２１の他の一部と表皮材２３の他の一部との間に固定されていることが望ましい。このような構成によれば、クッション材２０１に外力が加わり、クッション材２０１が変形した場合でも、被覆部材２５の変位を抑制することができる。このため、被覆部材２５と、洗い場床２および壁３のそれぞれと、の固定部に加わる負荷を軽減し、被覆部材２５に損傷が生じる可能性を低減することができる。
【００８８】
同様に、被覆部材２６についても、距離Ｄ２が変化し、コーキング材ＣＫ２に裂け目が生じた場合であっても、被覆部材２６に裂け目が生じる可能性は低い。また、コーキング材ＣＫ２は被覆部材２６に覆われているため、裂け目が生じたコーキング材ＣＫ２が、浴室内の使用者から見えにくく、浴室の美観の低下を抑制することが可能となる。また、被覆部材２６の両端が固定されているため、清掃時などに被覆部材２６に外力が加わったとしても、被覆部材２６が捲れてしまったり外れてしまうことを抑制できる。
【００８９】
さらに、被覆部材２６を撓んだ状態で設けることで、被覆部材２６に加わる負荷を低減し、距離Ｄ２が長くなった場合でも、被覆部材２６への裂け目の発生や、浴槽１および壁３との固定部分の損傷などの可能性を低減することができる。
また、被覆部材２６のうち、コーキング材ＣＫ２を被覆している部分の上面が、壁３から浴槽１の内側に向けて傾斜していることで、当該上面における排水性を高めることが可能となる。
【００９０】
また、コーキング材ＣＫ１およびＣＫ２を覆う被覆部材２５および２６は、有色であり、洗い場床２の表皮材２３と同系統または同一の色であることが望ましい。
【００９１】
また、被覆部材２５が弾性を有する場合、図１０に表したように、被覆部材２５の第２端部２５２が、壁３の表面と交差する方向に延びていることで、第２端部２５２を壁３に当接させた際に、被覆部材２５が壁３をより強く押圧する。被覆部材２５が壁３をより強く押圧した状態で当接することで、被覆部材２５と壁３との間に隙間を生じ難くし、被覆部材２５による止水性を向上させることができる。
【００９２】
同様に、被覆部材２６が弾性を有する場合、図１８に表したように、被覆部材２６の第２端部２６２が、壁３の表面と交差する方向に延びていることで、第２端部２６２を壁３に当接させた際に、被覆部材２６が壁３をより強く押圧する。被覆部材２６が壁３をより強く押圧した状態で当接することで、被覆部材２６と壁３との間に隙間を生じ難くし、被覆部材２６による止水性を向上させることができる。
【００９３】
（第１変形例）
被覆部材２５は、図１９および図２０に表した構成および特性を有していてもよい。
図１９および図２０は、本発明の実施形態の第１変形例に係る洗い場床の一部および壁の一部を拡大した断面図である。
【００９４】
図１９および図２０に表したように、本変形例において被覆部材２５は、例えば第１端部２５１が接着剤２８ａによって表皮材２３の側面に固定され、第２端部２５２が接着剤２８ｂによって壁３に固定される。被覆部材２５は、距離Ｄ１が変化した際、その変化に応じて伸縮する。このような被覆部材２５の材料として、ポリプロピレンやポリエチレンなどのポリオレフィン系樹脂、ポリスチレンやＡＢＳ（acrylonitrile butadiene styrene copolymer）などのスチレン系樹脂、塩化ビニル、ポリエチレンテレフタレートなどのポリエステル系樹脂、またはナイロンなどのポリアミド系樹脂、フッ素樹脂、などを用いることができる。被覆部材２５の伸縮性は、コーキング材ＣＫ１の伸縮性よりも高いため、被覆部材２５は、距離Ｄ１が変化した場合でも、コーキング材ＣＫ１よりも裂け目が生じにくい。
【００９５】
また、被覆部材２５の第２端部２５２は、第１端部２５１よりも上方において壁パネル３１に固定されている。このため、被覆部材２５の上面は、壁パネル３１から洗い場床２に向けて下方に傾斜している。
【００９６】
被覆部材２５の伸縮性がコーキング材ＣＫ１の伸縮性よりも高いことで、コーキング材ＣＫ１に裂け目が生じた場合であっても、被覆部材２５に裂け目が生じる可能性を低減し、浴室の美観の低下を抑制することが可能となる。また、被覆部材２５の伸縮性が高いことで、距離Ｄ１が変化し、当該距離が大きくなったとしても、被覆部材２５は伸縮によってその変化に対応することができるため、被覆部材２５に裂け目が生じる可能性を低減させることができる。
【００９７】
（第２変形例）
被覆部材２５は、図２１および図２２に表した構成および特性を有していてもよい。
図２１および図２２は、本発明の実施形態の第２変形例に係る洗い場床の一部および壁の一部を拡大した断面図である。
【００９８】
図２１に表したように、被覆部材２５は、伸縮性を有するとともに、撓んだ状態で設けられる。具体的には、距離Ｄ１が所定の値以下である場合、被覆部材２５は撓んでいる。一方で、図２２に表したように、図２１に表した状態から距離Ｄ１が長くなると、被覆部材２５の撓みが無くなり、被覆部材２５は壁パネル３１および洗い場床２に向けて引っ張られる。
【００９９】
このような構成によれば、距離Ｄ１が大きく変化した場合でも、被覆部材２５に加わる負荷を低減し、裂け目が生じる可能性を抑制することができる。このため、浴室の美観の低下をより確実に抑制することが可能となる。また、被覆部材２５の伸縮性が過度に大きくなくとも距離Ｄ１の変化に対応できるため、被覆部材２５の材料選択の自由度を高めることが可能となる。
【０１００】
（第３変形例）
図２３および図２４に表したように、被覆部材２５に代えて、被覆膜２５ａが設けられていてもよい。構成および特性を有していてもよい。
図２３および図２４は、本発明の実施形態の第３変形例に係る洗い場床の一部および壁の一部を拡大した断面図である。
【０１０１】
図２３に表したように、被覆膜２５ａは、コーキング材ＣＫ１の上面を覆うとともに、コーキング材ＣＫ１の上面に塗膜されている。被覆膜２５ａは、距離Ｄ１が長くなった場合、図２４に表したように、伸長可能に設けられている。このような被覆膜２５ａの材料として、ポリエステル樹脂、ポリウレタン樹脂、またはビニル樹脂を用いることができる。被覆膜２５ａの伸縮性は、コーキング材ＣＫ１の伸縮性よりも高いため、被覆膜２５ａは、距離Ｄ１が変化した場合でも、コーキング材ＣＫ１よりも裂け目が生じにくい。
【０１０２】
被覆膜２５ａの伸縮性がコーキング材ＣＫ１の伸縮性よりも高いことで、コーキング材ＣＫ１に裂け目が生じた場合であっても、被覆膜２５ａは伸縮によって距離Ｄ１の変化に対応することができるため、被覆膜２５ａに裂け目が生じる可能性を低減し、浴室の美観の低下を抑制することが可能となる。
【０１０３】
また、コーキング材ＣＫ１を覆う被覆膜２５ａは、有色であり、洗い場床２の表皮材２３と同系統または同一の色であることが望ましい。
【０１０４】
上述した第１変形例では、被覆部材２５について説明したが、被覆部材２６に同様の構成および特性を適用することも可能である。被覆部材２６が距離Ｄ２の変化に併せて伸縮することで、浴室の美観の低下を抑制するとともに、被覆部材２６に外力が加わった場合などにおいても、被覆部材２６が損傷する可能性を低減することが可能となる。
【０１０５】
同様に、第２変形例を、被覆部材２６に適用することも可能である。被覆部材２６が伸縮性を有するとともに、撓んでいることで、浴室の美観の低下をより確実に抑制することが可能とし、被覆部材２６の材料選択の自由度を高めることが可能となる。
【０１０６】
同様に、第３変形例のように、被覆部材２６に代えて、コーキング材ＣＫ２の上面に被覆膜が塗膜されていてもよい。当該被覆膜の伸縮性がコーキング材ＣＫ２の伸縮性よりも高いことで、コーキング材ＣＫ２に裂け目が生じた場合であっても、被覆膜に裂け目が生じる可能性を低減し、浴室の美観の低下を抑制することが可能となる。
【０１０７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室１００が備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０８】
１ 浴槽、  ２ 洗い場床、  ３ 壁、  ５ 排水管、  ６ 支持脚、  ７ 蓋、  ９ バスエプロン、  ２０ 床基材、  ２１ 床面材、  ２２ 支持材、  ２３ 表皮材、  ２３Ｓ 側面、  ２５、２６ 被覆部材、  ２５ａ 被覆膜、  ２７ ガイドピース、  ２８ａ、２８ｂ、２９ａ、２９ｂ 接着剤、  ３１〜３７ 壁パネル、  ５０ 壁面接続部材、  ５０Ａ、５０Ｂ 壁面接続部材、  ５１ 壁面固定部材、  １００ 浴室、  ２０１ クッション材、  ２０２ 表皮材、  ２２１ 蓋、  ２３１ 支持脚、  ２５１、２６１ 第１端部、  ２５２、２６２ 第２端部、  ３１０ 母材、  ３１１、３２１ 鋼板、  ３６０ 母材、  ３６１ 裏板、  ＣＫ１、ＣＫ２ コーキング材、  ＤＲ ドア、  Ｍ マスキングテープ、  ＰＫ１、ＰＫ２ パッキン、  Ｓ 浴室設置面、  Ｓ１、Ｓ２ 側面
【図１】
0006714812.tif 000002
【図２】
0006714812.tif 000003
【図３】
0006714812.tif 000004
【図４】
0006714812.tif 000005
【図５】
0006714812.tif 000006
【図６】
0006714812.tif 000007
【図７】
0006714812.tif 000008
【図８】
0006714812.tif 000009
【図９】
0006714812.tif 000010
【図１０】
0006714812.tif 000011
【図１１】
0006714812.tif 000012
【図１２】
0006714812.tif 000013
【図１３】
0006714812.tif 000014
【図１４】
0006714812.tif 000015
【図１５】
0006714812.tif 000016
【図１６】
0006714812.tif 000017
【図１７】
0006714812.tif 000018
【図１８】
0006714812.tif 000019
【図１９】
0006714812.tif 000020
【図２０】
0006714812.tif 000021
【図２１】
0006714812.tif 000022
【図２２】
0006714812.tif 000023
【図２３】
0006714812.tif 000024
【図２４】
0006714812.tif 000025